(57)【要約】【課題】  時間・経費、工数の大幅な削減を図り、目的に応じて有効な試験を実施可能な通信システムを提供する。【解決手段】  試験データ制御部１４５は制御部１５からの送信指示に基づいて、「試験データＡ」がある格納部を検索し、試験データＡが試験データ格納部１４１にある場合、試験データ切替部１４４に試験データ格納部１４１からの試験データ選択を指示する。試験データ切替部１４４は試験データ格納部１４１からの試験データを切替部１２に送信する。任意の外部装置や伝送路を経由して試験部１４に試験データが戻ってくると、試験データ制御部１４５は外部からのデータ書込み時に試験データ記憶部１４５１に予め記憶しておいた試験データＡと、戻ってきた試験データとを比較し、比較結果を制御部１５に通知する。制御部１５はモニタ装置８やデータ書換装置９に試験結果を通知（表示）する。【選択図】      図１
2007174135.tif 000002
【特許請求の範囲】
【請求項１】
複数の通信装置からなる通信システムであって、
前記複数の通信装置のうちの少なくとも一つに設けられかつ他装置に試験データを配信する試験手段を有し、
前記試験手段は、複数の試験データを格納する格納手段と、前記格納手段に格納された試験データを外部からのデータに書換える手段とを含むことを特徴とする通信システム。
【請求項２】
前記試験手段は、前記格納手段に格納されている複数の試験データのうちの任意の試験データを選択して送信する送信手段を含むことを特徴とする請求項１記載の通信システム。
【請求項３】
前記試験手段は、前記送信手段から送信された試験データと前記他装置を経由して戻ってきた試験データとを比較して前記他装置及び前記他装置との間の伝送路の異常の有無を検出することを特徴とする請求項２記載の通信システム。
【請求項４】
前記送信手段からの一度の送信で前記試験データを複数の通信装置と伝送路とを経由させることを特徴とする請求項２または請求項３記載の通信システム。
【請求項５】
複数の他装置とともに通信システムを構成する通信装置であって、
前記他装置に試験データを配信する試験手段を有し、
前記試験手段は、複数の試験データを格納する格納手段と、前記格納手段に格納された試験データを外部からのデータに書換える手段とを含むことを特徴とする通信装置。
【請求項６】
前記試験手段は、前記格納手段に格納されている複数の試験データのうちの任意の試験データを選択して送信する送信手段を含むことを特徴とする請求項５記載の通信装置。
【請求項７】
前記試験手段は、前記送信手段から送信された試験データと前記他装置を経由して戻ってきた試験データとを比較して前記他装置及び前記他装置との間の伝送路の異常の有無を検出することを特徴とする請求項６記載の通信装置。
【請求項８】
前記送信手段からの一度の送信で前記試験データを複数の通信装置と伝送路とを経由させることを特徴とする請求項６または請求項７記載の通信装置。
【請求項９】
複数の通信装置からなる通信システムに用いる正常性試験方法であって、
前記複数の通信装置のうちの少なくとも一つに他の通信装置に試験データを配信する試験手段を設け、
前記試験手段に複数の試験データを格納する格納手段を設け、
前記格納手段に格納された試験データを外部からのデータに書換え可能としたことを特徴とする正常性試験方法。
【請求項１０】
前記試験手段が、前記格納手段に格納されている複数の試験データのうちの任意の試験データを選択して送信することを特徴とする請求項９記載の正常性試験方法。
通信システム。
【請求項１１】
前記試験手段が、選択して送信した試験データと前記他の通信装置を経由して戻ってきた試験データとを比較して前記他の通信装置及び前記他の通信装置との間の伝送路の異常の有無を検出することを特徴とする請求項１０記載の正常性試験方法。
【請求項１２】
前記試験手段からの一度の送信で前記試験データを複数の通信装置と伝送路とを経由させることを特徴とする請求項１０または請求項１１記載の正常性試験方法。
【発明の詳細な説明】
【技術分野】
【０００１】
本発明は通信システム、通信装置及びそれらに用いる正常性試験方法に関し、特に通信システム並びに通信システムを構成する通信装置の試験に関する。
【背景技術】
【０００２】
従来、通信システム並びに通信システムを構成する通信装置の試験を行う場合には、図１０に示すように、試験データを送受信する試験装置（測定器）１０９を準備・設定し、通信システムを構成する通信装置１０１〜１０７の一つに接続してその試験データによる試験を実施する必要があり、多大な時間と経費、工数を費やしている。
【０００３】
図１０においては、通信装置１０５に通信装置１０１〜１０４，１０７を接続し、通信装置１０６に通信装置１０１，１０４，１０５とモニタ装置１０８とを接続し、通信装置１０５に接続した試験装置１０９によって通信装置１０５，１０７を試験対象としている。
【０００４】
また、図１１に示すように、ある通信装置１０１に予め試験データ１１４１を持つ試験部１１４を搭載し、その試験データ１１４１によって試験を実施する技術もある。しかしながら、この方法では決められた試験データ（搭載された試験データ１１４１）での試験しかできない。通信システムで発生する問題は多種多様であり、決められた１パターンだけの試験データだけでは試験として十分に機能することができない。
【０００５】
尚、図１１において、通信装置１０１は他の通信装置（図示せず）と接続するためのインタフェース部１１１と、切替部１１２と、データ処理部１１３と、試験データ１１４１を保持する試験部１１４と、これら各部を制御する制御部１１５とから構成されている。
【０００６】
【特許文献１】特開昭６２−２２２７３９号公報
【発明の開示】
【発明が解決しようとする課題】
【０００７】
上述した従来の通信システムの試験方法では、試験データを送受信する測定器を準備・設定し、通信システムに改めて接続して試験を実施する必要があり、多大な時間と経費、工数を費やしている。
【０００８】
また、従来の通信システムの試験方法では、外付けの試験装置にて試験を行う場合、一度に複数の通信装置の試験を実施することができない。さらに、従来の通信システムの試験方法では、通信装置に予め試験データを搭載し、その試験データによって試験実施する技術もあるが、この方法では決められた試験データでの試験しかできない。通信システムで発生する問題は多種多様であり、予め搭載された試験データの１パターンだけではそれらの問題に対応することができない。
【０００９】
そこで、本発明の目的は上記の問題点を解消し、時間・経費、工数の大幅な削減を図ることができ、目的に応じて有効な試験を実施することができる通信システム、通信装置及びそれらに用いる正常性試験方法を提供することにある。
【課題を解決するための手段】
【００１０】
本発明による通信システムは、複数の通信装置からなる通信システムであって、
前記複数の通信装置のうちの少なくとも一つに設けられかつ他装置に試験データを配信する試験手段を備え、
前記試験手段は、複数の試験データを格納する格納手段と、前記格納手段に格納された試験データを外部からのデータに書換える手段とを具備している。
【００１１】
本発明による通信装置は、複数の他装置とともに通信システムを構成する通信装置であって、
前記他装置に試験データを配信する試験手段を備え、
前記試験手段は、複数の試験データを格納する格納手段と、前記格納手段に格納された試験データを外部からのデータに書換える手段とを具備している。
【００１２】
本発明による正常性試験方法は、複数の通信装置からなる通信システムに用いる正常性試験方法であって、
前記複数の通信装置のうちの少なくとも一つに他の通信装置に試験データを配信する試験手段を設け、
前記試験手段に複数の試験データを格納する格納手段を設け、
前記格納手段に格納された試験データを外部からのデータに書換え可能としている。
【００１３】
すなわち、本発明の通信システムの正常性試験方法は、複数の通信装置とそれらを接続する伝送路とから構成される通信システムにおいて、各通信装置と伝送路の正常性確認を効率的かつ適切な方法で実施することを特徴としている。
【００１４】
より具体的に説明すると、本発明の通信システムの正常性試験方法は、通信装置の試験部に、複数の試験データを格納し、それらの試験データを外部から書込み（書換え）可能としている。
【００１５】
通信装置の試験部は試験実施時、制御部からの指示によって任意の試験データを切替部に送信し、インタフェース部を通って通信装置外部へと送信される。通信装置外部へと送信された試験データは、任意の伝送路と外部装置とを経由して、通信装置の試験部へと戻ってくる。試験部では受信した試験データと送信した試験データとを比較し、比較結果を制御部に通知する。
【００１６】
また、試験データは一度の送信で複数の通信装置と伝送路とを経由させることも可能であり、この場合には一度の試験データの送信で複数の通信装置と伝送路とを試験することが可能となる。
【００１７】
上記のように、本発明の通信システムの正常性試験方法では、試験用の測定器の準備・設定、通信システムへの接続が不要になるため、時間・経費、工数の大幅な削減を図ることが可能となる。
【００１８】
また、本発明の通信システムの正常性試験方法では、複数の試験データを予め通信装置に格納し、目的に応じた試験データを選択・使用することが可能なため、目的に応じて有効な試験を実施することが可能となる。
【００１９】
さらに、本発明の通信システムの正常性試験方法では、通信装置内に格納した試験データを外部から書換えることが可能となるため、さらに有効な試験を実施することが可能となる。
【発明の効果】
【００２０】
本発明は、上記のような構成及び動作とすることで、時間・経費、工数の大幅な削減を図ることができ、目的に応じて有効な試験を実施することができるという効果が得られる。
【発明を実施するための最良の形態】
【００２１】
次に、本発明の実施例について図面を参照して説明する。図１は本発明の第１の実施例による通信装置の構成を示すブロック図である。図１において、通信装置１は他の通信装置（図示せず）と接続するためのインタフェース部１１と、切替部１２と、データ処理部１３と、試験部１４と、これら各部を制御する制御部１５と、試験部１４への試験データの書込みを行うためにデータ書換え装置９に接続するデータ書込み部１６とから構成されている。
【００２２】
試験部１４はそれぞれ試験データを格納する試験データ格納部１４１〜１４３と、試験データ格納部１４１〜１４３に格納された試験データのいずれかを選択して切替部１２に出力する試験データ切替部１４４と、試験データ格納部１４１〜１４３及び試験データ切替部１４４を制御する試験データ制御部１４５とから構成され、試験データ制御部１４５は試験データ記憶部１４５１を備えている。
【００２３】
図２は本発明の第１の実施例による通信システムの通常動作時の通信データの流れを示すブロック図であり、図３は本発明の第１の実施例による通信システムの試験動作時の試験データの流れを示すブロック図である。これら図１〜図３を参照して本発明の第１の実施例による通信システムの動作について説明する。
【００２４】
本実施例では、通信データ多重やデータ処理を行う通信装置１〜４，７と、通信データのスイッチングを行う通信装置５と、通信装置１〜５，７を統合する通信装置６と、それら装置の状態を監視するモニタ装置８とから構成され、データ書換え装置９が通信装置１に任意に接続／切離し可能となっている。これら構成は従来の通信システムと同様の構成であり、特別な構成ではない。
【００２５】
通常運用時、外部から通信装置１に入った通信データはインタフェース部１１と切替部１２とを経由してデータ処理部１３に入力され、必要に応じたデータ処理が実行された後に、再び切替部１２とインタフェース部１１とを経由して通信装置１外部に出力される。
【００２６】
試験実施時、制御部１５は試験部１４に対して試験開始指示を出す。試験部１４は制御部１５からの指示によって任意の試験データを切替部１２に送信する。切替部１２は制御部１５からの指示によって、データ処理部１３からのデータでなく、試験部１４からのデータを選択し、その試験データをインタフェース部１１に送信する。
【００２７】
インタフェース部１１を通って通信装置１外部に送信された試験データは、任意の伝送路と通信装置とを経由して、通信装置１の試験部１４に戻ってくる。試験部１４は受信した試験データと送信した試験データとを比較し、比較結果を制御部１５に通知する。制御部１５は試験部１４の比較結果に基づいて試験ＯＫ／ＮＧの判定を行う。
【００２８】
また、試験部１４は、上記のように、複数のデータ格納部である試験データ格納部１４１〜１４３と、試験データ切替部１４４と、試験データ制御部１４５とを備えている。さらに、試験データ制御部１４５には試験データ記憶部１４５１があり、外部からの試験データ書込み時に、どの格納部にどのような試験データを格納したかを記憶しておく。
【００２９】
制御部１５からの送信指示が「試験データＡ」であった場合で、試験データ制御部１４５はその指示に基づいて「試験データＡ」がある格納部を検索する。これによって、試験データ制御部１４５は試験データＡが試験データ格納部１４１に格納されていることを認識し、試験データ切替部１４４に試験データ格納部１４１からの試験データ選択を指示し、試験データ切替部１４４は試験データ格納部１４１からの試験データを切替部１２に送信する。
【００３０】
また、任意の外部装置や伝送路を経由して試験部１４に戻ってきた試験データは、試験データ制御部１４５に入力される。試験データ制御部１４５は外部からのデータ書込み時に試験データ記憶部１４５１に予め記憶しておいた試験データＡと、戻ってきた試験データとを比較し、比較結果を制御部１５に通知する。制御部１５はモニタ装置８やデータ書換装置９に試験結果を通知（表示）する。
【００３１】
保守者／試験実施者は、試験結果をモニタ装置８もしくはデータ書換装置９における通知（表示）で確認する。試験ＮＧの場合には、その試験結果に応じて被疑箇所の特定、装置交換、必要に応じた再試験実施を実施する。
【００３２】
また、本実施例では、試験部１４に格納されているデータによる試験だけでは不十分な場合、試験部１４の試験データを適切な任意の試験データに外部から書換えることも可能である。データの書換えは、データ書込み部（インタフェース）１６にデータ書込みツールの入った装置（パーソナルコンピュータ等）を接続して実施する。さらに、モニタ装置８から通信装置１の試験データ記憶部１４５１に試験データをダウンロードすることで書換えを実施することも可能とする。
【００３３】
図４は本発明の第１の実施例による通信装置１の動作を示すシーケンスチャートであり、図５は本発明の第１の実施例による試験データの書換え例を示す図である。これら図１〜図５を参照して本発明の第１の実施例による通信装置１の動作について説明する。尚、本実施例では他の通信装置２〜７を通信装置１と同様の構成及び動作とすることも可能である。
【００３４】
まず、制御部１５は通信データの送受信中である運用中に（図４のａ１参照）、試験データＡによる試験実施の指示として試験開始指示（試験データＡ選択指示）を試験データ制御部１４５に対して行う（図４のａ２参照）。この試験開始指示を受けた試験データ制御部１４５は、試験データ記憶部１４５１の情報を参照して試験データＡが試験データ格納部１４１に格納されていることを認識し、試験データ切替部１４４に対して試験データ格納部１４１からの試験データＡを選択するように指示を出す（図４のａ３参照）。
【００３５】
この指示を受けた試験データ切替部１４４は、試験データ格納部１４１の試験データＡを選択し（図４のａ４参照）、試験データ制御部１４５に対して選択完了通知を出すとともに（図４のａ５参照）、試験データＡを切替部１２に送信開始する。選択完了通知を受けた試験データ制御部１４５は、制御部１５に対して試験データＡ選択完了通知を出す（図４のａ６参照）。
【００３６】
この通知を受けた制御部１５は、切替部１２に対してデータ処理部１３からのデータでなく、試験部１４からのデータを選択するように試験データ選択指示を出す（図４のａ７参照）。切替部１２はこの指示を受けて、制御部１５に対して試験データ選択完了通知を出すとともに（図４のａ８参照）、試験部１４からの試験データＡをインタフェース部１１に送信する。これによって、試験データＡが通信装置１外部へと出力される。
【００３７】
次に、図５を参照して試験データの書換えについて説明する。従来の技術では、試験データが１パターン（例えば、パターンＡ）の「試験データＡ」のみであるが、本実施例ではそれとは異なるパターンＢで組まれた「試験データＢ」、それら試験データＡ，Ｂとはデータ長が異なる、例えばシステムで許容される最大データ長である「試験データＣ」をそれぞれ有している。
【００３８】
本実施例では、これらの試験データＡ〜Ｃを試験目的に応じて選択使用することで、つまり試験データ格納部１４１〜１４３に格納された試験データを選択することで、有効な試験を実施することが可能である。それら試験データの選択・使用方法については、上記の通りである。
【００３９】
また、これらの試験データだけでは試験目的を果たせない、問題再現をさせられないという場合、データ書換装置９から任意の試験データ、例えば「試験データＣ」を「試験データＤ」に書換える。ここでは、「試験データＤ」をシステムで許容される最短長のデータ長のデータとしている。
【００４０】
このように、本実施例では、通信装置１内に格納した試験データを選択的に使用しているので、試験用の測定器の準備・設定、通信システムへの接続が不要になり、時間・経費、工数の大幅な削減を図ることができる。
【００４１】
また、本実施例では、複数の試験データを予め通信装置１内に格納しておき、目的に応じた試験データを選択・使用することが可能なため、目的に応じた有効な試験を実施することができる。
【００４２】
さらに、本実施例では、通信装置１内に格納した試験データだけでは試験目的を果たせない、問題再現をさせられないという場合、試験データを外部から書換え可能なため、さらに有効な試験を実施することができる。
【００４３】
図６は本発明の第２の実施例による通信システムの試験動作時の試験データの流れを示すブロック図であり、図７は本発明の第２の実施例による通信システムで用いる試験データの構成を示す図である。
【００４４】
上述した本発明の第１の実施例では、図３に示すように、通信装置７の試験が主な目的であるが、図６に示すように、一度の試験で、複数の通信装置（通信装置７及び通信装置２）を試験することも可能である。図６において、通信装置１から送出された試験データは通信装置７、通信装置２へと送られ、それら通信装置７、通信装置２の試験結果が通信装置１へと送られてくる。
【００４５】
これによって、本実施例では、試験が効率化できるだけでなく、実際の運用状態（図２参照）に近い通信経路になるため、より適切な試験が可能となる。これは、図７に示すように、試験データ内に「通信装置７用のアドレス」と「通信装置２用のアドレス」とを有することで実現可能としている。
【００４６】
図６及び図７において、まず、通信装置１から送信されたデータは［図７（１）参照］、通信装置５で経路選択（スイッチング）され、通信装置７に入力される。通信装置７は正常にデータ処理できた場合、「試験ＯＫ」を意味するデータを「通信装置７用のアドレス」の後ろに付加する。その後、通信装置７がそのデータを通信装置５に出力する［図７（２）参照］。
【００４７】
そのデータは、再び通信装置５でスイッチングされ、通信装置２に入力される。通信装置２でも正常にデータ処理できた場合、試験装置７の場合と同様に、「試験ＯＫ」を意味するデータを「通信装置２用のアドレス」の後ろに付加する［図７（３）参照］。
【００４８】
通信装置２から出力され、再び通信装置５でスイッチングされ、通信装置１に戻ってきた試験データ［図７（３）参照］は、通信装置１の試験データ制御部１４５に戻り、試験データ制御部１４５はそのデータを参照し「通信装置７＝試験ＯＫ」、「通信装置２＝試験ＯＫ」の判断をする。
【００４９】
また、例えば通信装置７で試験データを正常にデータ処理できない場合、通信装置７は「試験ＯＫを意味するデータ」を付加することができない。そのデータ［図７（３’）参照］を受信した通信装置１の試験データ制御部１４５は、通信装置７が正常なデータ処理をできなかったと認識し、「通信装置７＝異常（障害）」、「試験装置２＝正常」と判断する。
【００５０】
この判断結果によって、本実施例では、通信装置７に絞った試験の実施や、有効な試験パターンの選択を実施し、更なる調査を進めることが可能である。図６では一度に試験できるのは「通信装置７」と「通信装置２」との２装置だけでだが、実際の通信システムではもっと多くの通信装置でデータ処理される。試験データには、それに合わせた数の「通信装置アドレス」を入れることを可能とする。
【００５１】
このように、本実施例では、複数の通信装置２，７の試験を、一度に試験実施することが可能なため、上記の本発明の第１の実施例の効果に加えて、さらに試験の効率化を図ることができる。
【００５２】
図８は本発明の第３の実施例による通信システムの試験動作時の試験データの流れを示すブロック図であり、図９は本発明の第３の実施例による通信システムの動作を示す図である。図９（ａ）は本発明の第３の実施例による通信システムの試験動作時の動作を示すシーケンスチャート、図９（ｂ）は通信装置７、通信装置２、通信装置５の試験結果のデータを示す図、図９（ｃ）は通信装置１で受信する受信データを示す図である。
【００５３】
上述した本発明の第２の実施例による試験方法では、複数の通信装置２，７を同時に試験可能であり、各通信装置２，７の「データ処理部」において実際にデータ処理を実施するという意味で非常に有効であるが、途中の伝送路で障害があった場合には、試験データが通信装置１まで戻ってこないので、どの装置まで試験ＯＫ（正常だったか）を通信装置１が認識することができない。
【００５４】
また、試験対象装置が増えると、その分「各通信装置のアドレス＋データパターン」が増えるので、試験データ長がどんどん長くなってしまう。本発明の第３の実施例では、上記の２点の課題を解決している。以下、図８及び図９を参照して本発明の第３の実施例による通信システムの動作について説明する。
【００５５】
図８においては、通信装置７と通信装置２との間の伝送路（図８では、通信装置５と通信装置２との間）に障害があった場合を示している。この場合の動作について図９を参照して説明する。
【００５６】
通信システムの立ち上げ時、もしくは試験開始時に、モニタ装置８はスイッチングを行う通信装置５に対して、試験データが「通信装置１→通信装置７」、「通信装置７→通信装置２」、「通信装置２→通信装置１」と通過できるような経路（パス）接続を実施しておき、各通信装置が出力した試験データはその経路（パス）を通って後段の通信装置に送信されるようにしておく。
【００５７】
試験開始時、モニタ装置８から全試験対象装置（通信装置１、通信装置７、通信装置２、通信装置５）に対して、「試験開始通知」を出す［図９（ａ）のｂ１参照］。「試験開始通知」を受けた各通信装置２，７は、各装置内で所有している「試験データ到着待ちタイマ」を起動させる。この「試験データ到着待ちタイマ」のタイマ値はモニタ装置８からの指示によって任意に設定可能とする。
【００５８】
「試験開始通知」を受けた通信装置１は、試験データを通信装置７に送信する［図９（ａ）のｂ２参照］。通信装置７は、試験データを「試験データ到着待ちタイマ」の時間内に受信した場合、データ処理を行わずにそのまま、通信装置５経由で通信装置２に試験データを送信する［図９（ａ）のｂ３，ｂ４参照］。ここで、「そのまま」というのは、「試験データフォーマット」にある「該当ｂｉｔ（ｂｉｔ０）を“０”のままで書き換えずに」ということを示す。
【００５９】
続けて、通信装置２は通信装置７（通信装置５）からの試験データを待つが、「試験データ到着待ちタイマ」の時間内に試験データが届かない。この場合、通信装置２は「該当ｂｉｔ（ｂｉｔ１）を“１”に書換えた」試験データフォーマットを後段の通信装置５に送信する［図９（ａ）のｂ５，ｂ６参照］。
【００６０】
各通信装置において、「試験データ到着待ちタイマ」がタイムアウトになった場合には、上記のように、該当ｂｉｔを“１”に書換えた試験データフォーマット［図９（ｃ）参照］を後段に送信する。
【００６１】
続けて、通信装置５は通信装置２からの試験データ「装置試験Ｂ」を「試験データ到着待ちタイマ」の時間内に受信し、そのままの試験データを通信装置１に送信する［図９（ａ）のｂ７，ｂ８参照］。
【００６２】
通信装置１は「試験データ到着待ちタイマ」の時間内に試験データを受信し、試験データ制御部１４５において各ｂｉｔを参照する。通信装置１は試験データのｂｉｔ１＝１に書換わっていることよって、「通信装置７出力〜伝送路〜通信装置２」で障害があることを判断し、その結果をモニタ装置８に通知する［図９（ａ）のｂ９参照］。このようにして、本実施例では、伝送路と通信装置とを含めた通信システム全体の試験を実施することが可能である。
【００６３】
上記のように、本実施例では、複数の通信装置に加え、それらを接続する伝送路をも含めた試験［図９（ｂ）参照］を、一度に実施することが可能なため、更に試験の効率化を図ることができる。
【００６４】
尚、本発明では、試験実施を通信システムの運用者／保守者によってモニタ装置８でのコマンド入力によっての実施だけでなく、予めモニタ装置８に周期タイマを設けておくことによって、自動的／周期的な試験実施をも可能とする。
【００６５】
また、本発明では、上記の試験機能［試験部１４及びデータ書込み部（インタフェース）１６］を特定の通信装置１だけでなく、複数あるいは全ての通信装置１〜７に搭載することによって、より有意義な試験実施を行うことが可能である。
【図面の簡単な説明】
【００６６】
【図１】本発明の第１の実施例による通信装置の構成を示すブロック図である。
【図２】本発明の第１の実施例による通信システムの通常動作時の通信データの流れを示すブロック図である。
【図３】本発明の第１の実施例による通信システムの試験動作時の試験データの流れを示すブロック図である。
【図４】本発明の第１の実施例による通信装置１の動作を示すシーケンスチャートである。
【図５】本発明の第１の実施例による試験データの書換え例を示す図である。
【図６】本発明の第２の実施例による通信システムの試験動作時の試験データの流れを示すブロック図である。
【図７】本発明の第２の実施例による通信システムで用いる試験データの構成を示す図である。
【図８】本発明の第３の実施例による通信システムの試験動作時の試験データの流れを示すブロック図である。
【図９】本発明の第３の実施例による通信システムの動作を示す図である。
【図１０】従来例による通信システムの試験動作時の試験データの流れを示すブロック図である。
【図１１】従来例による通信装置の構成を示すブロック図である。
【符号の説明】
【００６７】
１〜７  通信装置
８  モニタ装置
９  データ書換え装置
１１  インタフェース部
１２  切替部
１３  データ処理部
１４  試験部
１５  制御部
１６  データ書込み部
１４１〜１４３  試験データ格納部
１４４  試験データ切替部
１４５  試験データ制御部
１４５１  試験データ記憶部
【図１】
2007174135.tif 000003
【図２】
2007174135.tif 000004
【図３】
2007174135.tif 000005
【図４】
2007174135.tif 000006
【図５】
2007174135.tif 000007
【図６】
2007174135.tif 000008
【図７】
2007174135.tif 000009
【図８】
2007174135.tif 000010
【図９】
2007174135.tif 000011
【図１０】
2007174135.tif 000012
【図１１】
2007174135.tif 000013